(57)【要約】【課題】最適なプリアンブル長のプリアンブルを用いて効率的なランダムアクセスを行う。【解決手段】移動局装置１０−ａ〜１０−ｃは、基地局装置２０との間の無線伝搬路状況（例えば受信電力）または基地局装置２０からの距離に応じて、コンテンションベースチャネルＣＢＣＨの送信フレームの構成（プリアンブル長）を変更して、ランダムアクセスを行う。【選択図】図１
2008011157.tif 000002
【特許請求の範囲】
【請求項１】
基地局装置からチャネルの割当てを受けていない場合に、該基地局装置との間で同一のデータとして共有されるプリアンブルを第１のチャネルの所定フレームで該基地局装置に送信する移動局装置において、
前記基地局装置との間の伝搬路特性を推定するチャネル推定手段と、
前記チャネル推定手段により推定された伝搬路特性に基づいて前記フレームに占める前記プリアンブルの割合を設定する制御手段と、
前記設定された割合に従ってプリアンブルを生成するプリアンブル生成手段と、
を備えたことを特徴とする移動局装置。
【請求項２】
基地局装置からチャネルの割当てを受けていない場合に、該基地局装置との間で同一のデータとして共有されるプリアンブルを第１のチャネルの所定フレームで該基地局装置に送信する移動局装置において、
前記基地局装置との間の距離を特定する手段と、
前記特定された距離に基づいて前記フレームに占める前記プリアンブルの割合を設定する制御手段と、
前記設定された割合に従ってプリアンブルを生成するプリアンブル生成手段と、
を備えたことを特徴とする移動局装置。
【請求項３】
前記フレームにおける前記プリアンブル以外の部分に所定の制御情報を含むデータを配置するデータ制御手段と、
該データを所定の符号化方式で符号化する符号化手段と、
前記符号化されたデータを所定の変調方式で変調する変調手段と、
前記変調されたデータを前記プリアンブルと多重して送信する手段と、
を備え、
前記制御手段は、前記符号化方式と前記変調方式の少なくとも１つを前記割合に対応させて設定し、設定した方式を前記符号化手段および／または変調手段の該当する手段に指示する
ことを特徴とする請求項１または請求項２に記載の移動局装置。
【請求項４】
前記チャネル推定手段は、前記基地局装置からの下りチャネルである第２のチャネルを用いて測定された受信電力に基づいて、前記伝搬路特性を求める
ことを特徴とする請求項１に記載の移動局装置。
【請求項５】
前記距離を特定する手段は、ＧＰＳ信号を受信して移動局装置の位置を測定し、その位置と前記基地局装置から通知された該基地局装置の位置情報とに基づいて前記基地局装置との間の距離を特定する
ことを特徴とする請求項２に記載の移動局装置。
【請求項６】
請求項１から請求項５のいずれかの項に記載の移動局装置からの信号を受信する基地局装置であって、
前記移動局装置から送信されるプリアンプルを検出するプリアンブル検出手段と、
前記検出されたプリアンブルが含まれる上りリンクのフレームに占める当該プリアンブルの割合を算出する算出手段と、
前記移動局装置へ下りリンクで送信するデータを所定の符号化方式で符号化する符号化手段と、
符号化された前記データを所定の変調方式で変調する変調手段と、
を備え、前記算出されたプリアンブルの割合に基づいて、前記符号化方式および／または前記変調方式を設定する
ことを特徴とする基地局装置。
【発明の詳細な説明】
【技術分野】
【０００１】
本発明は、プリアンブルを用いて基地局装置にランダムアクセスする移動局装置、およびその移動局装置からのランダムアクセスを受け付ける基地局装置に関する。
【背景技術】
【０００２】
第３世代セルラー移動通信の一方式として、国際的な標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において標準化されたＷ−ＣＤＭＡ（広帯域符号分割多元接続）方式の通信規格があり、同規格による携帯電話サービスが順次各国で開始されている。３ＧＰＰではまた、このような第３世代無線システムの進化形として、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）と称する通信技術の検討が行われている。
【０００３】
ＥＵＴＲＡの下りリンクには、ＯＦＤＭ（直交周波数分割多重）方式が用いられ、チャネル符号化等の適応無線リンク制御に基づく適応変復調・誤り訂正（Ａｄａｐｔｉｖｅ  Ｍｏｄｕｌａｔｉｏｎ  ａｎｄ  Ｃｏｄｉｎｇ  Ｓｃｈｅｍｅ；ＡＭＣＳ）の技術が適用されている。ＡＭＣＳとは、高速パケットデータ伝送を効率的に行うために、各移動局の伝搬路状況に応じて誤り訂正方式や、誤り訂正の符号化率や、データ変調多値数や、時間および周波数軸の符号拡散率や、マルチコード多重数などの各種無線伝送パラメータ（以下ＡＭＣモードという）を切り替える通信方式である。例えば、データ変調において、伝搬路状況が良好になるにしたがい、ＱＰＳＫ（４相位相偏移変調）から８ＰＳＫ（８相位相偏移変調）、１６ＱＡＭ（１６値直交振幅変調）などのより高い効率の多値変調に切り替えることで、通信システムの最大スループットを増大させることができる。
【０００４】
また、ＥＵＴＲＡの上りリンクには、ＯＦＤＭ方式等のマルチキャリア通信方式に比べてＰＡＰＲ（Ｐｅａｋ  ｔｏ  Ａｖｅｒａｇｅ  Ｐｏｗｅｒ  Ｒａｔｉｏ；ピーク電力平均電力比）の特性に優れたシングルキャリア通信方式が用いられる。特に、下りリンクと同じパラメータが使用可能なシングルキャリア通信方式として、ＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  ＯＦＤＭ）方式が提案されている（例えば、非特許文献１参照）。
【０００５】
図１６に、ＥＵＴＲＡにおける上りおよび下りリンクのチャネル構成を示す。
同図において、ＥＵＴＲＡの下りリンクは、下りリンクパイロットチャネル（Ｄｏｗｎｌｉｎｋ  Ｐｉｌｏｔ  Ｃｈａｎｎｅｌ；ＤＰｉＣＨ）と、下りリンク同期チャネル（Ｄｏｗｎｌｉｎｋ  Ｓｙｎｃｈｒｏｎｉｚａｔｉｏｎ  Ｃｈａｎｎｅｌ；ＤＳＣＨ）と、下りリンク共通制御チャネル（Ｄｏｗｎｌｉｎｋ  Ｃｏｍｍｏｎ  Ｃｏｎｔｒｏｌ  Ｃｈａｎｎｅｌ；ＤＣＣＣＨ）と、下りリンク共用制御シグナリングチャネル（Ｄｏｗｎｌｉｎｋ  Ｓｈａｒｅｄ  Ｃｏｎｔｒｏｌ  Ｓｉｇｎａｌｉｎｇ  Ｃｈａｎｎｅｌ；ＤＳＣＳＣＨ）と、下りリンク共用データチャネル（Ｄｏｗｎｌｉｎｋ  Ｓｈａｒｅｄ  Ｄａｔａ  Ｃｈａｎｎｅｌ；ＤＳＤＣＨ）とにより構成される（非特許文献２参照）。
【０００６】
下りリンクパイロットチャネルＤＰｉＣＨは、下りリンク共通パイロットチャネル（Ｄｏｗｎｌｉｎｋ  Ｃｏｍｍｏｎ  Ｐｉｌｏｔ  Ｃｈａｎｎｅｌ；ＤＣＰｉＣＨ）と下りリンク個別パイロットチャネル（Ｄｏｗｎｌｉｎｋ  Ｄｅｄｉｃａｔｅｄ  Ｐｉｌｏｔ  Ｃｈａｎｎｅｌ；ＤＤＰｉＣＨ）とからなる。
下りリンク共通パイロットチャネルＤＣＰｉＣＨは、上記ＡＭＣＳ方式での下りリンク無線伝搬路特性の推定や、セルサーチや、上り送信電力制御のための伝搬路ロス測定などに使用される。下りリンク個別パイロットチャネルＤＤＰｉＣＨは、アダプティブアレーアンテナなどセル共用アンテナとは異なる無線伝搬路特性を有するアンテナにより送信を行う場合や、受信品質の低い移動局への送信時において、必要に応じ下りリンク共通パイロットチャネルＤＣＰｉＣＨを補強する場合などに使用される。
【０００７】
下りリンク同期チャネルＤＳＣＨは、移動局のセルサーチや、ＯＦＤＭ信号の無線フレーム、タイムスロット、およびＴＴＩ（Ｔｒａｎｓｍｉｓｓｉｏｎ  Ｔｉｍｅ  Ｉｎｔｅｒｖａｌ）等のＯＦＤＭシンボルのタイミング同期に使用される。
【０００８】
下りリンク共通制御チャネルＤＣＣＣＨは、報知情報や、ページングインジケータ情報や、ページング情報や、下りアクセス情報などの共通制御情報を伝送する。
【０００９】
下りリンク共用制御シグナリングチャネルＤＳＣＳＣＨは、複数の移動局が共用するチャネルであり、各移動局における復調処理に必要な情報（変調方式、拡散符号等）、誤り訂正復号処理やＨＡＲＱ（Ｈｙｂｒｉｄ  Ａｕｔｏｍａｔｉｃ  Ｒｅｐｅａｔ  ｒｅＱｕｅｓｔ；ハイブリッド自動再送要求）処理に必要な情報、および無線リソース（周波数と時間）のスケジューリング情報などを送信する際に使用される。
【００１０】
下りリンク共用データチャネルＤＳＤＣＨは、上位レイヤから移動局宛てのパケットデータの送信に使用される。
【００１１】
また、図１６において、ＥＵＴＲＡの上りリンクは、上りリンクパイロットチャネル（Ｕｐｌｉｎｋ  Ｐｉｌｏｔ  Ｃｈａｎｎｅｌ；ＵＰｉＣＨ）と、コンテンションベースチャネル（Ｃｏｎｔｅｎｔｉｏｎ−ｂａｓｅｄ  Ｃｈａｎｎｅｌ；ＣＢＣＨ）と、上りリンクスケジューリングチャネル（Ｕｐｌｉｎｋ  Ｓｃｈｅｄｕｌｉｎｇ  Ｃｈａｎｎｅｌ；ＵＳＣＨ）とにより構成される（非特許文献３参照）。
【００１２】
上りリンクパイロットチャネルＵＰｉＣＨは、ＡＭＣＳ方式での上りリンク無線伝搬路特性の推定に使用される。
コンテンションベースチャネルＣＢＣＨは、Ｗ−ＣＤＭＡ方式におけるランダムアクセスチャネルに相当するチャネルである。ランダムアクセスについては後述する。
【００１３】
上りリンクスケジューリングチャネルＵＳＣＨは、上りリンク共用制御シグナリングチャネル（Ｕｐｌｉｎｋ  Ｓｈａｒｅｄ  Ｃｏｎｔｒｏｌ  Ｓｉｇｎａｌｉｎｇ  Ｃｈａｎｎｅｌ；ＵＳＣＳＣＨ）と上りリンク共用データチャネル（Ｕｐｌｉｎｋ  Ｓｈａｒｅｄ  Ｄａｔａ  Ｃｈａｎｎｅｌ；ＵＳＤＣＨ）とからなり、各移動局によって共用で使用されるチャネルである。上りリンク共用制御シグナリングチャネルＵＳＣＳＣＨでは、下りチャネルの伝搬路品質情報（Ｃｈａｎｎｅｌ  Ｑｕａｌｉｔｙ  Ｉｎｄｉｃａｔｏｒ；ＣＱＩ）や、ＨＡＲＱ等のフィードバック情報や、上りパイロットおよび上りリンクチャネルの制御情報などを伝送する。上りリンク共用データチャネルＵＳＤＣＨでは、各移動局からのパケットデータを伝送する。
【００１４】
図１７は、ＥＵＴＲＡの下りリンクにおいて使用される無線フレーム構成を示したものである。下りリンクの無線フレームは、周波数軸のチャンク（Ｃｈｕｎｋ）と時間軸のＴＴＩによる２次元のマップを有している。
例えば、周波数軸上において、下りリンク全体の周波数帯域幅を２０ＭＨｚ、チャンク一つ当りの周波数帯域幅を１．２５ＭＨｚとした場合、この無線フレームには１６個のチャンクが含まれることになる。また、時間軸上において、１つの無線フレームを１０ｍｓとし、ＴＴＩを０．５ｍｓとした場合、無線フレームには２０個のＴＴＩが含まれることになる。なお、無線信号は周波数を複数に分割したサブキャリアにより伝送されるが、チャンクはこのサブキャリアの幾つかのかたまりとして構成されている。
【００１５】
図１７において、各ＴＴＩの先頭には下りリンク共通パイロットチャネルＤＣＰｉＣＨがマッピングされ、その後ろには下りリンク共用制御シグナリングチャネルＤＳＣＳＣＨがマッピングされる。また、無線フレームの先頭のＴＴＩ（図１７ではＴＴＩ＿１）には、下りリンク共通制御チャネルＤＣＣＣＨと下りリンク同期チャネルＤＳＣＨがマッピングされる。さらに、基地局のアンテナ使用状況や移動局の伝搬路状況に応じて必要な場合には、ＴＴＩ内の適当な位置に下りリンク個別パイロットチャネルＤＤＰｉＣＨがマッピングされる（図１７ではＣｈｕｎｋ＿１のＴＴＩ＿１とＣｈｕｎｋ＿２のＴＴＩ＿２にマッピングされている）。
【００１６】
また図１７において、各移動局宛てのパケットデータは、移動局の伝搬路状況に応じて割当てられたチャンクに従い、下りリンク共用データチャネルＤＳＤＣＨで送信される。例えば、一つのチャンクを一つの移動局（ユーザ）に割当てるのを基本とし、無線伝搬路特性の良い移動局には複数のチャンクを割当てるスケジューリングを行うことで、マルチユーザダイバーシチ効果が得られシステム全体のスループットを向上させられる。また、複数のチャンクと一つのサブＴＴＩ（ＴＴＩを細分化したスロット）を単位として割当てを行い、セル境界に存在するか高速移動中であるなどで無線伝搬路特性の悪い移動局には連続した複数のチャンクを割当て、広い周波数帯域を使って通信を行うことで、周波数ダイバーシチ効果が得られ受信特性の改善が図れる。
【００１７】
図１８は、ＥＵＴＲＡの上りリンクにおいて使用される無線フレーム構成を示したものである。上りリンクの無線フレームは、図１７の下りリンクと同様、周波数軸のチャンク（Ｃｈｕｎｋ）と時間軸のＴＴＩによる２次元のマップを有している。
図１８において、上りリンクスケジューリングチャネルＵＳＣＨがマッピングされたＴＴＩの先頭と末尾には、上りリンクパイロットチャネルＵＰｉＣＨがマッピングされる。この上りリンクパイロットチャネルＵＰｉＣＨに従って、基地局では無線伝搬路の推定や移動局／基地局間の同期検出が行われる。
【００１８】
また、コンテンションベースチャネルＣＢＣＨと上りリンクスケジューリングチャネルＵＳＣＨは、ＴＤＭ（時分割多重）やＴＤＭ−ＦＤＭ（時分割多重・周波数分割多重）などの方式を用いて多重化されてマッピングされる。図１９はこのマッピングの一例を示したものである。同図（ａ）はＴＤＭ−ＦＤＭによる多重化の例、同図（ｂ）はＴＤＭによる多重化の例である。なお、前掲の図１８は、ＴＤＭ方式の場合を示しており、ＴＴＩ＿１、ＴＴＩ＿３…に上りリンクスケジューリングチャネルＵＳＣＨ、およびＴＴＩ＿２、ＴＴＩ＿４…にコンテンションベースチャネルＣＢＣＨがマッピングされている。
【００１９】
図２０に、上りリンクスケジューリングチャネルＵＳＣＨとコンテンションベースチャネルＣＢＣＨの送信フレームの構成を示す。
上りリンクスケジューリングチャネルＵＳＣＨでは、基地局によってスケジューリングされた移動局が、移動局の伝搬路状況に応じて割当てられたチャンクに従って基地局にパケットデータを送信することができる。その送信フレームは、６つのロングブロックと２つのショートブロックから構成される（図２０（ａ））。また、コンテンションベースチャネルＣＢＣＨの送信フレームは、所定の送信データの後ろに移動局からの送信タイミングのずれを吸収するためのガードタイムを有している（同図（ｂ）および（ｃ））。
【００２０】
さて、移動通信システムでは、基地局における受信タイミングが一定となるように移動局の送信タイミングを同期させることが行われる。この同期をとる目的のため、コンテンションベースチャネルＣＢＣＨが用いられる。
コンテンションベースチャネルＣＢＣＨへのアクセスは、ランダムアクセスと呼ばれる。コンテンションベースチャネルＣＢＣＨへのランダムアクセスの方法として、基地局／移動局間の送信タイミングのずれを計測するためのプリアンブル部のみを送信する方法（図２０（ｂ））や、基地局／移動局間の同期タイミングを計測するためのプリアンブル部とスケジューリングに必要な情報等の制御情報を含むメッセージ部を送信する方法（図２０（ｃ））などが提案されている（例えば、非特許文献４、５参照）。移動局は、基地局によってスケジューリングされていないデータを送信する場合、これらの方法に従ってコンテンションベースチャネルＣＢＣＨへランダムアクセスを行い、基地局との通信を実現する。
【００２１】
図２１は、コンテンションベースチャネルＣＢＣＨへのランダムアクセスの手順を示したシーケンス図である。プリアンブル部のみを用いる場合（同図（ａ））は、基地局によりプリアンブルが検出された後、割当てられたリソースを使ってメッセージ部を送信する。プリアンブル部とメッセージ部を用いる場合（同図（ｂ））は、これらを同時に送信する。
【非特許文献１】“３ＧＰＰ  ＴＲ（Ｔｅｃｈｎｉｃａｌ  Ｒｅｐｏｒｔ）２５．８１４  Ｖ１．２．０  Ｐｈｙｓｉｃａｌ  Ｌａｙｅｒ  Ａｓｐｅｃｔｓ  ｆｏｒ  Ｅｖｏｌｖｅｄ  ＵＴＲＡ”、２００６年２月
【非特許文献２】Ｐｈｙｓｉｃａｌ  Ｃｈａｎｎｅｌ  ａｎｄ  Ｍｕｌｔｉｐｌｅｘｉｎｇ  ｉｎ  Ｅｖｏｌｖｅｄ  ＵＴＲＡ  Ｄｏｗｎｌｉｎｋ、“３ＧＰＰ  ＴＳＧ  ＲＡＮ  ＷＧ１  Ｍｅｅｔｉｎｇ＃４２”、２００５年８月、Ｒ１−０５０７０７
【非特許文献３】Ｐｈｙｓｉｃａｌ  Ｃｈａｎｎｅｌ  ａｎｄ  Ｍｕｌｔｉｐｌｅｘｉｎｇ  ｉｎ  Ｅｖｏｌｖｅｄ  ＵＴＲＡ  Ｕｐｌｉｎｋ、“３ＧＰＰ  ＴＳＧ  ＲＡＮ  ＷＧ１  Ｍｅｅｔｉｎｇ＃４２”、２００５年８月、Ｒ１−０５０８５０
【非特許文献４】Ｒａｎｄｏｍ  Ａｃｃｅｓｓ  Ｔｒａｎｓｍｉｓｓｉｏｎ  ｆｏｒ  Ｓｃａｌａｂｌｅ  Ｍｕｌｔｉｐｌｅ  Ｂａｎｄｗｉｄｔｈ  ｉｎ  Ｅｖｏｌｖｅｄ  ＵＴＲＡ  Ｕｐｌｉｎｋ、“３ＧＰＰ  ＴＳＧ  ＲＡＮ  ＷＧ１  Ｍｅｅｔｉｎｇ＃４３”、２００５年１１月、Ｒ１−０５１３９１
【非特許文献５】Ｅ−ＵＴＲＡ  Ｒａｎｄｏｍ  Ａｃｃｅｓｓ、“３ＧＰＰ  ＴＳＧ  ＲＡＮ  ＷＧ１  Ｍｅｅｔｉｎｇ＃４３”、２００５年１１月、Ｒ１−０５１４４５
【発明の開示】
【発明が解決しようとする課題】
【００２２】
コンテンションベースチャネルＣＢＣＨへのランダムアクセスにおいて、プリアンブル部のみを送信する方法では、プリアンブル部とメッセージ部を送信する方法と比較してプリアンブル長が長いため（図２０（ｂ）と（ｃ）を参照）、セル境界に存在する移動局から送られるプリアンブルを基地局で検出する精度が高くなり、良好な通信品質を得ることができる。しかしその反面、スケジューリングに必要なメッセージ部をプリアンブル部とは分けて別のタイミングで送信する（図２１（ａ）を参照）ことになるので、移動局がデータの送信を開始できるようになるまでの時間が長くなってしまう。
【００２３】
また、逆に、プリアンブル部とメッセージ部とを送信する方法では、メッセージはプリアンブルと同時に送信されるため、移動局はデータの送信を早期に開始することが可能である。しかしながら、プリアンブル長が短いため、基地局におけるプリアンブルの検出精度が低くなってしまう。
【００２４】
このように、プリアンブル長が固定されている場合は、移動局に応じた最適なプリアンブルを用いることができず、効率的なランダムアクセスができないという問題がある。
【００２５】
さらにまた、セル境界に存在する移動局とセル中心付近に存在する移動局とでは、無線伝搬路状況や送信電力が異なり送信可能なデータ量に差があるため、次のような問題がある。すなわち、セル中心付近に存在する移動局を基準としてスケジューリングに必要な情報を定めた場合、セル境界の移動局はメッセージ部を送信することができない。仮に送信したとしても、基地局でそのメッセージ部を復調できない事態が生じ得る。また、セル境界に存在する移動局を基準としてスケジューリングに必要な情報を定めた場合は、送信可能なデータ量が少ないのでスケジューリングの情報も制限されてしまう。
【００２６】
本発明は上記の点に鑑みてなされたものであり、その目的は、最適なプリアンブル長のプリアンブルを用いて効率的なランダムアクセスを行うことが可能な移動局装置、およびその移動局装置からのランダムアクセスを受け付ける基地局装置を提供することにある。
【課題を解決するための手段】
【００２７】
上記の課題を解決するために、本発明の移動局装置は、基地局装置からチャネルの割当てを受けていない場合に、該基地局装置との間で同一のデータとして共有されるプリアンブルを第１のチャネルの所定フレームで該基地局装置に送信する移動局装置において、前記基地局装置との間の伝搬路特性を推定するチャネル推定手段と、前記チャネル推定手段により推定された伝搬路特性に基づいて前記フレームに占める前記プリアンブルの割合を設定する制御手段と、前記設定された割合に従ってプリアンブルを生成するプリアンブル生成手段と、を備えたことを特徴とする。
【００２８】
この発明において、基地局／移動局間の伝搬路特性に応じて最適なプリアンブル長が選択され、そのプリアンブル長を有するプリアンブルによりランダムアクセスが行われる。
【００２９】
また、本発明の移動局装置は、基地局装置からチャネルの割当てを受けていない場合に、該基地局装置との間で同一のデータとして共有されるプリアンブルを第１のチャネルの所定フレームで該基地局装置に送信する移動局装置において、前記基地局装置との間の距離を特定する手段と、前記特定された距離に基づいて前記フレームに占める前記プリアンブルの割合を設定する制御手段と、前記設定された割合に従ってプリアンブルを生成するプリアンブル生成手段と、を備えたことを特徴とする。
【００３０】
この発明において、基地局／移動局間の距離に応じて最適なプリアンブル長が選択され、そのプリアンブル長を有するプリアンブルによりランダムアクセスが行われる。
【００３１】
また、本発明の移動局装置は、前記フレームにおける前記プリアンブル以外の部分に所定の制御情報を含むデータを配置するデータ制御手段と、該データを所定の符号化方式で符号化する符号化手段と、前記符号化されたデータを所定の変調方式で変調する変調手段と、前記変調されたデータを前記プリアンブルと多重して送信する手段と、を備え、前記制御手段は、前記符号化方式と前記変調方式の少なくとも１つを前記割合に対応させて設定し、設定した方式を前記符号化手段および／または変調手段の該当する手段に指示することを特徴とする。
【００３２】
この発明において、基地局／移動局間の伝搬路特性または距離に応じて、ランダムアクセス時に送信されるデータに対する符号化および／または変調の方式が選択される。
【００３３】
また、本発明の移動局装置は、前記チャネル推定手段は、前記基地局装置からの下りチャネルである第２のチャネルを用いて測定された受信電力に基づいて、前記伝搬路特性を求めることを特徴とする。
また、本発明の移動局装置は、前記距離を特定する手段は、ＧＰＳ信号を受信して移動局装置の位置を測定し、その位置と前記基地局装置から通知された該基地局装置の位置情報とに基づいて前記基地局装置との間の距離を特定することを特徴とする。
【００３４】
また、上記の課題を解決するために、本発明の基地局装置は、前記移動局装置からの信号を受信する基地局装置であって、前記移動局装置から送信されるプリアンプルを検出するプリアンブル検出手段と、前記検出されたプリアンブルが含まれる上りリンクのフレームに占める当該プリアンブルの割合を算出する算出手段と、前記移動局装置へ下りリンクで送信するデータを所定の符号化方式で符号化する符号化手段と、符号化された前記データを所定の変調方式で変調する変調手段と、を備え、前記算出されたプリアンブルの割合に基づいて、前記符号化方式および／または前記変調方式を設定することを特徴とする。
【発明の効果】
【００３５】
本発明によれば、基地局／移動局間の伝搬路特性または距離に応じて最適なプリアンブル長が選択されるので、移動局装置と基地局装置の間で効率的なランダムアクセスを行うことができる。
【発明を実施するための最良の形態】
【００３６】
以下、図面を参照しながら本発明の実施形態について詳しく説明する。
（第１の実施形態）
図１は、本発明の一実施形態による移動局装置１０が基地局装置２０により形成される一つのセルに収容されて、コンテンションベースチャネルＣＢＣＨへランダムアクセスを行う様子を説明した図である。このセル内には、基地局装置２０（ＢＳ）からの距離がそれぞれ異なる３つの移動局装置１０−ａ〜１０−ｃ（ＭＳ１〜ＭＳ３）が存在しているものとする。各移動局装置１０−ａ〜１０−ｃは、基地局装置２０との間の無線伝搬路状況に応じて、コンテンションベースチャネルＣＢＣＨの送信フレームの構成を変更して、ランダムアクセスを行う。
【００３７】
具体的には、移動局装置１０−ａは基地局装置２０のごく近傍に存在しているため伝搬路状況が良好であるとすると、この移動局装置１０−ａは、コンテンションベースチャネルＣＢＣＨにおいて、一つのＴＴＩの先頭部分のＮシンボル（Ｎ：自然数）をプリアンブル部、残りをメッセージ部およびデータ部としてランダムアクセスする。また、基地局装置２０からの距離が少し離れた移動局装置１０−ｂは、伝搬路状況が少し劣化しているので、ＴＴＩの先頭のＭシンボル（Ｍ：自然数、但しＭ＞Ｎ）をプリアンブル部とし、残りをメッセージ部としてランダムアクセスする。また、基地局装置２０からさらに離れてセル境界に近い場所に存在している移動局装置１０−ｃは、伝搬路状況が劣悪であるので、プリアンブルの検出精度を最大限に高めるため一つのＴＴＩ全体のＰシンボル（Ｐ：自然数、但しＰ＞Ｍ）をプリアンブル部として使用する。
【００３８】
このように無線伝搬路状況、例えば基地局／移動局間の距離に応じてコンテンションベースチャネルＣＢＣＨのプリアンブル長を変更しランダムアクセスを行うことによって、伝搬路状況の良好な移動局では少ないシンボルでプリアンブル部を送信するとともにメッセージ部やデータ部も送信することができ、また伝搬路状況の悪い移動局ではより多くのシンボルを使ってプリアンブル部を送信して基地局での検出精度を向上させることができる。
【００３９】
一方、図１の基地局装置２０は、コンテンションベースチャネルＣＢＣＨにおいてプリアンブルを検出するとそのプリアンブル長を判定するとともに、必要であればメッセージ部とデータ部を抽出した上で、受け取った送信フレームの構成に応じた処理を実行する。すなわち、各移動局装置１０−ａ〜１０−ｃが送信したプリアンブル部のプリアンブル長によって、基地局装置２０は適切な応答を移動局装置に返信する。
【００４０】
図２は、コンテンションベースチャネルＣＢＣＨの送信フレーム構成を示したものであり、一つのＴＴＩを表している。同図において、送信フレームは６つのシンボルを収容可能であり、末尾には移動局での送信タイミングのずれを基地局にて吸収するためのガードタイムが設けられている。なお、ガードタイムは１シンボル以下に設定されているものとする。図２（ａ）の送信フレームはプリアンブル部（２シンボル）、メッセージ部（２シンボル）、およびデータ部（２シンボル）から構成されており、図１の移動局装置１０−ａが送信する送信フレームに対応している。また、図２（ｂ）の送信フレームはプリアンブル部（４シンボル）とメッセージ部（２シンボル）から構成され、移動局装置１０−ｂからの送信フレームに対応する。また、図２（ｃ）の送信フレームは６シンボル全てがプリアンブル部として構成されており、移動局装置１０−ｃの送信フレームに対応する。
【００４１】
なお、図２のプリアンブル部は、１シンボルのプリアンブルをシンボル数分だけ繰り返したものであり、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスのような自己相関特性の良いシーケンスを使用することができる。また、メッセージ部は、レイヤ１（物理層）に関する制御情報を格納する部分であり、この制御情報に従ってランダムアクセスによるスケジューリングが行われることになる。具体的には、移動局の識別情報や、コンテンションベースチャネルＣＢＣＨへのアクセス理由を示す情報や、スケジューリング要求情報や、移動局の送信電力または基地局からの受信電力の情報などが格納される。また、データ部は、上位レイヤ（ＭＡＣ層など）の制御情報やユーザデータを格納している。
【００４２】
移動局装置１０−ａ〜１０−ｃは、無線伝搬路状況、例えば伝搬路推定結果や基地局／移動局間の距離に応じて図２（ａ）〜（ｃ）の送信フレームを適宜選択し、コンテンションベースチャネルＣＢＣＨへのランダムアクセスを実行する。
【００４３】
図３は、移動局装置１０の機能的構成を示すブロック図である。移動局装置１０は、データ制御部１０１と、チャネル符号化部１０２と、データ変調部１０３と、ＤＦＴ−Ｓ−ＯＦＤＭ変調部１０４と、同期補正部１０５と、プリアンブル生成部１０６と、パイロット生成部１０７と、無線部１０８と、チャネル推定部１０９と、ＯＦＤＭ復調部１１０と、チャネル復号化部１１１と、制御データ抽出部１１２と、スケジューリング部１１３と、ＣＢＣＨ制御部１１４とを有している。
【００４４】
図３において、送信データと制御データはデータ制御部１０１に入力される。データ制御部１０１は、スケジューリング部１１３とＣＢＣＨ制御部１１４の指示に従って、この送信データ、制御データ、およびチャネル推定部１０９から送られるＣＱＩ情報を、コンテンションベースチャネルＣＢＣＨまたは上りリンクスケジューリングチャネルＵＳＣＨで送信するためのフォーマットに配置する。
【００４５】
チャネル符号化部１０２は、スケジューリング部１１３およびＣＢＣＨ制御部１１４から送られるＡＭＣ情報（ＡＭＣモードを指定するための情報であり、具体的には、誤り訂正方式や、誤り訂正の符号化率や、データ変調多値数や、時間および周波数軸の符号拡散率や、マルチコード多重数などを指定する情報が含まれる）において指定された符号化方式を用い、データを符号化する。
データ変調部１０３は、スケジューリング部１１３およびＣＢＣＨ制御部１１４から送られるＡＭＣ情報において指定された変調方式を用い、データを変調する。
【００４６】
ＤＦＴ−Ｓ−ＯＦＤＭ変調部１０４は、データ変調部１０３より入力されたデータに対して直列／並列変換処理、拡散符号およびスクランブリングコードの乗算処理、ＤＦＴ変換処理、サブキャリアマッピング処理、ＩＦＦＴ（逆離散フーリエ変換）処理、ＣＰ（Ｃｙｃｌｉｃ  Ｐｒｅｆｉｘ）挿入処理、フィルタリング処理などのＤＦＴ−Ｓ−ＯＦＤＭ信号処理を行い、ＤＦＴ−Ｓ−ＯＦＤＭ信号を生成する。サブキャリアのマッピングにおいては、スケジューリング部１１３およびＣＢＣＨ制御部１１４から送られるマッピング情報に基づいて行う。ＤＦＴ−Ｓ−ＯＦＤＭ変調部１０４はまた、プリアンブル生成部１０６からのプリアンブルとパイロット生成部１０７からのパイロットを、変調後のデータ（ＤＦＴ−Ｓ−ＯＦＤＭ信号）と多重する。
【００４７】
同期補正部１０５は、制御データ抽出部１１２から送られる同期情報に基づいて送信タイミングを決定し、決定した送信タイミングにてデータを無線部１０８へ出力する。
無線部１０８は、上りリンクのデータを無線周波数にアップコンバートして基地局装置２０へ送信する。また、基地局装置２０からの下りリンクのデータを受信して、ベースバンド信号にダウンコンバートした上で、ＯＦＤＭ復調部１１０とチャネル推定部１０９に供給する。
【００４８】
チャネル推定部１０９は、無線部１０８より入力されるデータの下りリンクパイロットチャネルＤＰｉＣＨに基づいて、下りリンクの無線伝搬路特性を推定し、下りリンク無線伝搬路推定結果としてＯＦＤＭ復調部１１０とＣＢＣＨ制御部１１４へ供給する。この下りリンク無線伝搬路推定結果は、ＣＢＣＨ制御部１１４においてコンテンションベースチャネルＣＢＣＨへランダムアクセスをする際にプリアンブル部のプリアンブル長を決定するために利用される。下りリンク無線伝搬路推定結果には、例えば、Ｅｓ／Ｉｏを利用することができる。ここで、Ｅｓは下りリンクパイロットチャネルＤＰｉＣＨのＯＦＤＭ受信エネルギー、Ｉｏは干渉信号電力密度である。チャネル推定部１０９はまた、下りリンク無線伝搬路推定結果をＣＱＩ情報に変換して、データ制御部１０１とスケジューリング部１１３へ供給する。
【００４９】
ＯＦＤＭ復調部１１０は、チャネル推定部１０９からの下りリンク無線伝搬路推定結果と制御データ抽出部１１２から送られる下りリンクのＡＭＣ情報に基づいて、無線部１０８より入力される受信データを復調する。
チャネル復号化部１１１は、制御データ抽出部１１２から送られる下りリンクのＡＭＣ情報に基づいて受信データの復号を行う。
【００５０】
制御データ抽出部１１２は、受信データを制御データ（下りリンク共用制御シグナリングチャネルＤＳＣＳＣＨと下りリンク共通制御チャネルＤＣＣＣＨ）とユーザデータに分離する。そして、制御データに含まれる下りのＡＭＣ情報をＯＦＤＭ復調部１１０とチャネル復号化部１１１に供給する。また、上りのＡＭＣ情報とスケジューリング情報をスケジューリング部１１３へ、コンテンションベースチャネルＣＢＣＨに関する制御情報（例えば、コンテンションベースチャネルＣＢＣＨの位置や使用できるプリアンブルの種類など）をＣＢＣＨ制御部１１４へ、上りリンクの同期情報を同期補正部１０５へ、それぞれ供給する。
【００５１】
スケジューリング部１１３は、上位レイヤからのスケジューリング情報と、制御データ抽出部１１２からの上りのＡＭＣ情報およびスケジューリング情報と、チャネル推定部１０９からのＣＱＩ情報とに基づいて、上りリンクのスケジューリングを行い、データ制御部１０１、チャネル符号化部１０２、データ変調部１０３、およびＤＦＴ−Ｓ−ＯＦＤＭ変調部１０４に対してスケジューリングを指示する。
【００５２】
ＣＢＣＨ制御部１１４は、コンテンションベースチャネルＣＢＣＨへのアクセスが必要な場合に、スケジューリング部１１３からの指示を受け、チャネル推定部１０９からの下りリンク無線伝搬路推定結果に基づいて上りリンクで送信するプリアンブル部のプリアンブル長、ならびにメッセージ部長およびデータ部長を決定する。また、決定した結果をデータ制御部１０１、チャネル符号化部１０２、データ変調部１０３、およびＤＦＴ−Ｓ−ＯＦＤＭ変調部１０４へ指示する。決定したプリアンブル長については、プリアンブル生成部１０６へ指示する。
【００５３】
なお、ＣＢＣＨ制御部１１４は、自セルの下りリンク無線伝搬路推定結果だけでなく、他セルの下りリンク無線伝搬路推定結果を利用してプリアンブル長を決定するようにしてもよい。また、下りリンク無線伝搬路推定結果の代わりに、ＧＰＳ（Ｇｌｏｂａｌ  Ｐｏｓｉｔｉｏｎｉｎｇ  Ｓｙｓｔｅｍ）などの位置測定手段を利用することにより、移動局装置１０と基地局装置２０間の距離を算出して、その距離に応じたプリアンブル長を決定するようにしてもよい。
【００５４】
プリアンブル生成部１０６は、ＣＢＣＨ制御部１１４から指示されたプリアンブル長のプリアンブルを生成し、ＤＦＴ−Ｓ−ＯＦＤＭ変調部１０４へ供給する。
パイロット生成部１０７は、基地局装置２０から指示されたパイロットを生成してＤＦＴ−Ｓ−ＯＦＤＭ変調部１０４へ供給する。
【００５５】
なお、図３の移動局装置１０では、上りリンクの通信方式としてＤＦＴ−Ｓ−ＯＦＤＭ方式を想定しているが、ＶＳＣＲＦ−ＣＤＭＡ（Ｖａｒｉａｂｌｅ  Ｓｐｒｅａｄｉｎｇ  ａｎｄ  Ｃｈｉｐ  Ｒｅｐｅｔｉｔｉｏｎ  Ｆａｃｔｏｒ−ＣＤＭＡ）のような他のシングルキャリア方式でも構わない。また、ＯＦＤＭ方式のようなマルチキャリア方式でもよい。
【００５６】
図４は、基地局装置２０の機能的構成を示すブロック図である。基地局装置２０は、データ制御部２０１と、チャネル符号化部２０２と、ＯＦＤＭ変調部２０３と、無線部２０４と、チャネル推定部２０５と、同期検出部２０６と、プリアンブル検出部２０７と、ＤＦＴ−Ｓ−ＯＦＤＭ復調部２０８と、データ復調部２０９と、チャネル復号化部２１０と、制御データ抽出部２１１と、スケジューリング部２１２とを有している。
【００５７】
図４において、送信データと制御データはデータ制御部２０１に入力される。データ制御部２０１は、スケジューリング部２１２からの指示に従って、入力された制御データを下りリンク共通制御チャネルＤＣＣＣＨ、下りリンク同期チャネルＤＳＣＨ、下りリンクパイロットチャネルＤＰｉＣＨ、下りリンク共用制御シグナリングチャネルＤＳＣＳＣＨにマッピングし、各移動局装置への送信データを下りリンク共用データチャネルＤＳＤＣＨにマッピングする。マッピング後のデータはチャネル符号化部２０２へ入力される。
【００５８】
チャネル符号化部２０２は、スケジューリング部２１２から送られるＡＭＣ情報において指定された符号化方式を用い、データを符号化する。
ＯＦＤＭ変調部２０３は、チャネル符号化部２０２より入力されたデータに対してデータ変調処理、直列／並列変換処理、拡散符号およびスクランブリングコードの乗算処理、ＩＦＦＴ処理、ＣＰ挿入処理、フィルタリング処理などのＯＦＤＭ信号処理を行い、ＯＦＤＭ信号を生成する。この時、データ変調処理においては、スケジューリング部２１２から送られるＡＭＣ情報により指定された変調方式に基づき変調を行う。
【００５９】
無線部２０４は、ＯＦＤＭ変調されたデータを無線周波数にアップコンバートして移動局装置１０−ａ〜１０−ｃへ送信する。また、移動局装置１０−ａ〜１０−ｃからの上りリンクのデータを受信して、ベースバンド信号にダウンコンバートした上で、受信データをＤＦＴ−Ｓ−ＯＦＤＭ復調部２０８、チャネル推定部２０５、同期検出部２０６、およびプリアンブル検出部２０７へ供給する。
【００６０】
チャネル推定部２０５は、無線部２０４より入力されるデータの上りリンクパイロットチャネルＵＰｉＣＨに基づいて、上りリンクの無線伝搬路特性を推定し、上りリンク無線伝搬路推定結果としてＤＦＴ−Ｓ−ＯＦＤＭ復調部２０８とスケジューリング部２１２へ供給する。この下りリンク無線伝搬路推定結果は、スケジューリング部２１２において上りリンクのスケジューリングを行うために利用される。
【００６１】
同期検出部２０６は、無線部２０４より入力されるデータの上りリンクパイロットチャネルＵＰｉＣＨまたはコンテンションベースチャネルＣＢＣＨに含まれるプリアンブルに基づいて、移動局装置における同期ずれ（送信タイミングのずれ）を検出し、同期ずれ情報としてＤＦＴ−Ｓ−ＯＦＤＭ復調部２０８とデータ制御部２０１へ供給する。
【００６２】
プリアンブル検出部２０７は、コンテンションベースチャネルＣＢＣＨにおいてプリアンブルが送信されたか否かを識別して、プリアンブルが検出された場合には、そのプリアンブル長を判定するとともに、メッセージ部およびデータ部の有無を判定する。そして、プリアンブルの検出結果（当該送信フレーム内のプリアンブル部、メッセージ部、データ部の各位置を示す情報など）をＤＦＴ−Ｓ−ＯＦＤＭ復調部２０８とスケジューリング部２１２へ供給し、メッセージ部およびデータ部のＡＭＣ情報をデータ復調部２０９とチャネル復号化部２１０へ供給する。
【００６３】
ＤＦＴ−Ｓ−ＯＦＤＭ復調部２０８は、チャネル推定部２０５からの上りリンク無線伝搬路推定結果と同期検出部２０６からの同期ずれ情報に基づいて、無線部２０４より入力される受信データ（ＤＦＴ−Ｓ−ＯＦＤＭ信号）を復調する。また、コンテンションベースチャネルＣＢＣＨの受信データについては、プリアンブル検出部２０７から送られるプリアンブル検出結果に基づいて、受信データからプリアンブル部とメッセージ部を分離する。そして、復調した受信データおよびメッセージ部をデータ復調部２０９へ供給する。
【００６４】
データ復調部２０９は、制御データ抽出部２１１から送られる上りリンクのＡＭＣ情報に基づいて受信データの復調を行う。コンテンションベースチャネルＣＢＣＨの受信データについては、プリアンブル検出部２０７から送られるＡＭＣ情報に基づいて、メッセージ部とデータ部を復調する。
チャネル復号化部２１０は、制御データ抽出部２１１から送られる上りリンクのＡＭＣ情報に基づいて受信データの復号を行う。コンテンションベースチャネルＣＢＣＨの受信データについては、プリアンブル検出部２０７から送られるＡＭＣ情報に基づいて、メッセージ部とデータ部を復号する。
【００６５】
制御データ抽出部２１１は、受信データを制御データ（上りリンク共用制御シグナリングチャネルＵＳＣＳＣＨ）とユーザデータ（上りリンク共用データチャネルＵＳＤＣＨ）に分離する。そして、制御データに含まれる上りのＡＭＣ情報をデータ復調部２０９とチャネル復号化部２１０へ供給し、下りリンクのＣＱＩ情報をスケジューリング部２１２へ供給する。
【００６６】
スケジューリング部２１２は、下りリンクのスケジューリングを行うＤＬ（Ｄｏｗｎｌｉｎｋ）スケジューリング部２１２ａと上りリンクのスケジューリングを行うＵＬ（Ｕｐｌｉｎｋ）スケジューリング部２１２ｂとから構成される。
ＤＬスケジューリング部２１２ａは、移動局装置から送られて制御データ抽出部２１１により通知されるＣＱＩ情報と、上位レイヤからのスケジューリング情報とに基づいて、下りリンクの各チャネルにユーザデータをマッピングするためのスケジューリング情報を生成して、データ制御部２０１に指示する。また、チャネル符号化部２０２における符号化処理およびＯＦＤＭ変調部２０３における変調処理で適用されるＡＭＣモードをＣＱＩ情報に基づいて決定し、チャネル符号化部２０２とＯＦＤＭ変調部２０３へ通知する。
【００６７】
ＵＬスケジューリング部２１２ｂは、チャネル推定部２０５からの上りリンク無線伝搬路推定結果と各移動局装置１０−ａ〜１０−ｃからのリソース割当て要求に従って、上りリンクの各チャネルにユーザデータをマッピングするためのスケジューリング情報を生成し、また移動局装置において用いられる符号化処理および変調処理のＡＭＣモードを決定する。これらスケジューリング情報とＡＭＣモードの情報は、制御データとしてデータ制御部２０１へ入力される。
【００６８】
次に、移動局装置１０のＣＢＣＨ制御部１１４がプリアンブル長を決定する処理（アルゴリズム）について説明する。前述した通り、ＣＢＣＨ制御部１１４は下りリンク無線伝搬路推定結果に基づきプリアンブル長を決定するが、ここでは下りリンク無線伝搬路推定結果としてＥｓ／Ｉｏを利用するものとする。
移動局装置１０は、コンテンションベースチャネルＣＢＣＨへのランダムアクセスを行う際、チャネル推定部１０９によりＥｓ／Ｉｏを測定する。そして、ＣＢＣＨ制御部１１４は、Ｅｓ／Ｉｏ値が大きい場合には基地局／移動局間の距離が近いと判断できることから、プリアンブル長を短く設定する。また、Ｅｓ／Ｉｏ値が小さい場合には基地局／移動局間の距離が遠いと判断し、プリアンブル長を長く設定する。このように、Ｅｓ／Ｉｏ値に応じてプリアンブル長を異ならせることによって、無線伝搬路の状況に応じた最適な方法でコンテンションベースチャネルＣＢＣＨのランダムアクセスが可能となる。
【００６９】
図５に具体例を示す。図５の例では、Ｅｓ／Ｉｏ値がＸ以上の場合にはプリアンブルを２シンボルとし、Ｅｓ／Ｉｏ値がＹ以上Ｘ未満の場合にはプリアンブルを４シンボルとし、Ｅｓ／Ｉｏ値がＹ未満の場合にはプリアンブルを６シンボルとしている。これにより、コンテンションベースチャネルＣＢＣＨの送信フレームは、前掲の図２の形となる。
【００７０】
また、プリアンブル長は、基地局／移動局間の伝搬路損失に基づいて決定するようにすることもできる。この場合、移動局装置１０は、コンテンションベースチャネルＣＢＣＨへのランダムアクセスを行う際、チャネル推定部１０９により下りリンク受信エネルギーＥｓを測定し、下りリンク共通制御チャネルＤＣＣＣＨから基地局装置２０の送信電力を求めることによって、基地局／移動局間の伝搬路損失を算出する。そして、ＣＢＣＨ制御部１１４は、伝搬路損失が小さければ基地局／移動局間の距離が近いと判断し、プリアンブル長を短く設定する。また、伝搬路損失が大きければ基地局／移動局間の距離が遠いと判断し、プリアンブル長を長く設定する。
【００７１】
図６に具体例を示す。図６の例では、伝搬路損失がＬ未満の場合にはプリアンブルを２シンボルとし、伝搬路損失がＬ以上Ｍ未満の場合にはプリアンブルを４シンボルとし、伝搬路損失がＭ以上の場合にはプリアンブルを６シンボルとしている。これにより、コンテンションベースチャネルＣＢＣＨの送信フレームは、前掲の図２の形となる。
【００７２】
さらに、他セルの下りリンク無線伝搬路推定結果を利用することによりプリアンブル長を決定することも可能である。移動局装置１０は、コンテンションベースチャネルＣＢＣＨへのランダムアクセスを行う際、チャネル推定部１０９により自セルの下りリンク受信エネルギーＥｓ１と他セルの下りリンク受信エネルギーＥｓ２を測定し、その比Ｅｓ１／Ｅｓ２を算出する。そして、ＣＢＣＨ制御部１１４は、Ｅｓ１／Ｅｓ２が１に近い場合、自装置（移動局装置）が自セルと他セルの中間付近、すなわちセル境界に存在していると判断し、プリアンブルを長く設定する。また、Ｅｓ１／Ｅｓ２が０に近い場合、自セルの基地局装置の近傍に存在していると判断し、プリアンブル長を短く設定する。
【００７３】
図７に具体例を示す。図７の例では、Ｅｓ１／Ｅｓ２がＳ（例えば０．３）未満の場合にはプリアンブルを２シンボルとし、Ｅｓ１／Ｅｓ２がＳ以上Ｔ（例えば０．８）未満の場合にはプリアンブルを４シンボルとし、Ｅｓ１／Ｅｓ２がＴ以上の場合にはプリアンブルを６シンボルとしている。これにより、コンテンションベースチャネルＣＢＣＨの送信フレームは、前掲の図２の形となる。
【００７４】
次に、基地局装置２０のプリアンブル検出部２０７がプリアンブルを検出する処理について説明する。ここで、プリアンブルは基地局装置２０と移動局装置１０において既知であるものとする。また、受信フレームは６シンボルで構成されているものとする（図２参照）。
図８は、プリアンブル検出処理の手順を示したフローチャートである。
【００７５】
図８において、まずプリアンブル検出部２０７は、コンテンションベースチャネルＣＢＣＨで受信されたフレームの２シンボル目の相互相関検出を行う（ステップＳ１０１）。得られた２シンボル目の相関値を予め定められた値γ（プリアンブル閾値）と比較し（ステップＳ１０２）、γ以上の場合は、当該フレームにプリアンブルが含まれていると判断し（プリアンブルが検出され）、ステップＳ１０３へ進む。γ未満の場合は、当該フレームにはプリアンブルが含まれていないと判定する（ステップＳ１０８）。
【００７６】
次いで、４シンボル目の相互相関検出を行う（ステップＳ１０３）。４シンボル目の相関値と２シンボル目の相関値（または１シンボルと２シンボルの相関値の平均値）を比較し（ステップＳ１０４）、４シンボル目の相関値が２シンボル目の相関値より小さい場合、３シンボル目（およびそれ以降）をメッセージ部と判定する（ステップＳ１０９）。４シンボル目の相関値が２シンボル目の相関値以上の場合には、３シンボル目以降もプリアンブルであると判断し、ステップＳ１０５へ進む。
【００７７】
同様にして、６シンボル目の相互相関検出を行う（ステップＳ１０５）。６シンボル目の相関値と２シンボル目の相関値（または１シンボルと２シンボルの相関値の平均値）を比較し（ステップＳ１０６）、６シンボル目の相関値が２シンボル目の相関値より小さい場合、５シンボル目（およびそれ以降）をメッセージ部と判定する（ステップＳ１１０）。６シンボル目の相関値が２シンボル目の相関値以上の場合には、当該フレーム全て（６フレーム）がプリアンブルと判定する（ステップＳ１０７）。
【００７８】
図９は、上記のプリアンブル検出を概念的に説明する図である。ここで、受信フレームは基地局装置２０のクロックに同期しているものとする。
図９（ａ）はプリアンブル長が２シンボルである場合を示している。２シンボル目の相互相関検出において、２シンボル目はプリアンブル部であるので相関値としてγ以上の値が得られる。よって、プリアンブルが検出される。次に、４シンボル目の相互相関検出において、４シンボル目はメッセージ部であるので相関値は０となる。これにより、４シンボル目と２シンボル目の比較の結果、３シンボル目以降はメッセージ部と判定される。すなわち、プリアンブル長は２シンボルであることが判定されることになる。
【００７９】
図９（ｂ）はプリアンブル長が４シンボルである場合を示している。２シンボル目の相互相関検出において、２シンボル目はプリアンブル部であるので相関値としてγ以上の値が得られる。よって、プリアンブルが検出される。次に、４シンボル目の相互相関検出において、４シンボル目もプリアンブル部であるので２シンボル目と同じ相関値が得られ、３シンボル目以降もプリアンブル部であると判断される。さらに、６シンボル目の相互相関検出において、６シンボル目はメッセージ部であるので相関値は０となる。そして、６シンボル目と２シンボル目の比較により、５シンボル目以降はメッセージ部、すなわちプリアンブル長は４シンボルと判定される。
【００８０】
図９（ｃ）はプリアンブル長が６シンボルである場合を示している。２シンボル目の相互相関検出において、２シンボル目はプリアンブル部であるので相関値としてγ以上の値が得られる。よって、プリアンブルが検出される。次に、４シンボル目の相互相関検出において、４シンボル目もプリアンブル部であるので２シンボル目と同じ相関値が得られ、３シンボル目以降もプリアンブル部であると判断される。さらに、６シンボル目の相互相関検出において、６シンボル目もプリアンブル部であるので２シンボル目と同じ相関値が得られ、フレーム全体がプリアンブル（プリアンブル長は６シンボル）と判定される。
【００８１】
図１０は、図９と同じくプリアンブル検出を概念的に説明する図であり、受信フレームが基地局装置２０のクロックに対して１シンボルの半分だけずれている場合を示したものである。
図１０（ａ）はプリアンブル長が２シンボルの場合を示しており、受信フレームとクロックが同期していないことにより、２シンボル目には高い相関値（図９と同じ値）が得られ、１シンボル目と３シンボル目には低い相関値が得られる。この場合にも、図９（ａ）と同様に、４シンボル目の相関値（＝０）が２シンボル目の相関値より小さいので、プリアンブル長は２シンボルと判定される。
【００８２】
図１０（ｂ）はプリアンブル長が４シンボルの場合である。この場合、２〜４シンボル目には高い相関値、１シンボル目と３シンボル目には低い相関値が得られる。そして、図９（ｂ）と同様に、４シンボル目の相関値が２シンボル目と等しく、６シンボル目の相関値（＝０）が２シンボル目の相関値より小さいので、プリアンブル長は４シンボルと判定される。
図１０（ｃ）はプリアンブル長が６シンボルの場合である。この場合、２〜６シンボル目には高い相関値、１シンボル目と７シンボル目には低い相関値が得られる。そして、図９（ｃ）と同様に、４シンボル目と６シンボル目の相関値が２シンボル目と等しいので、プリアンブル長は６シンボルと判定される。
【００８３】
次に、基地局装置２０のプリアンブル検出部２０７がプリアンブルを検出する処理の他の例について、図２２のフローチャートを参照して説明する。
図２２において、まずプリアンブル検出部２０７は、コンテンションベースチャネルＣＢＣＨで受信されたフレームの１シンボル目と２シンボル目の自己相関検出を行う（ステップＳ２０１）。得られた自己相関値を予め定められた値δ（プリアンブル閾値）と比較し（ステップＳ２０２）、δ以上の場合は、当該フレームにプリアンブルが含まれていると判断し、ステップＳ２０３へ進む。δ未満の場合は、当該フレームにはプリアンブルが含まれていないと判定する（ステップＳ２０８）。
【００８４】
次いで、２シンボル目と３シンボル目の自己相関検出を行う（ステップＳ２０３）。得られた自己相関値を予め定められた値δ（プリアンブル閾値）と比較し（ステップＳ２０４）、δ以上の場合は、３シンボル目以降もプリアンブルが含まれていると判断し、ステップＳ２０５へ進む。δ未満の場合は、３シンボル目（およびそれ以降）をメッセージ部と判定する（ステップＳ２０９）。
【００８５】
同様にして、４シンボル目と５シンボル目の自己相関検出を行う（ステップＳ２０５）。得られた自己相関値を予め定められた値δ（プリアンブル閾値）と比較し（ステップＳ２０６）、δ以上の場合は、５シンボル目以降もプリアンブルが含まれていると判断し、ステップＳ２１０へ進む。δ未満の場合は、５シンボル目（およびそれ以降）をメッセージ部と判定する（ステップＳ２１０）。
【００８６】
図２３は、上記のプリアンブル検出を概念的に説明する図である。ここで、受信フレームは基地局装置２０のクロックに同期しているものとする。
図２３（ａ）はプリアンブル長が２シンボルである場合を示している。１、２シンボル目の自己相関検出において、１、２シンボル目はプリアンブル部であるので相関値としてδ以上の値が得られる。よって、プリアンブルが検出される。次に、２、３シンボル目の自己相関検出において、３シンボル目はメッセージ部であるので相関値は０となる。これにより、３シンボル目以降はメッセージ部と判定される。すなわち、プリアンブル長は２シンボルであることが判定されることになる。
【００８７】
図２３（ｂ）はプリアンブル長が４シンボルである場合を示している。１、２シンボル目の自己相関検出において、１、２シンボル目はプリアンブル部であるので相関値としてδ以上の値が得られる。よって、プリアンブルが検出される。次に、２、３シンボル目の自己相関検出において、３シンボル目もプリアンブル部であるので１、２シンボル目と同じ相関値が得られ、３シンボル目以降もプリアンブル部であると判断される。さらに、４、５シンボル目の自己相関検出において、５シンボル目はメッセージ部であるので相関値は０となり、５シンボル目以降はメッセージ部、すなわちプリアンブル長は４シンボルと判定される。
【００８８】
図２３（ｃ）はプリアンブル長が６シンボルである場合を示している。１、２シンボル目の相互相関検出において、１、２シンボル目はプリアンブル部であるので相関値としてδ以上の値が得られる。よって、プリアンブルが検出される。次に、２、３シンボル目の自己相関検出において、３シンボル目もプリアンブル部であるので１、２シンボル目と同じ相関値が得られ、３シンボル目以降もプリアンブル部であると判断される。さらに、４，５シンボル目の自己相関検出において、５シンボル目もプリアンブル部であるので１、２シンボル目と同じ相関値が得られ、フレーム全体がプリアンブル（プリアンブル長は６シンボル）と判定される。
【００８９】
次に、移動局装置１０がコンテンションベースチャネルＣＢＣＨによりランダムアクセスを行い、基地局装置２０と移動局装置１０が通信を開始する際の各装置の処理について説明する。
【００９０】
はじめに、移動局装置１０は、ＣＢＣＨ制御部１１４において下りリンクのＥｓ／Ｉｏからプリアンブル長を決定する。そして、このプリアンブル長に従って、ランダムアクセス時の送信データのフォーマットを決定する。具体的には、前掲の図２（ａ）〜（ｃ）から一つを選択する。例えば、プリアンブル長が６シンボルであれば、図２（ｃ）のフォーマットでランダムアクセスする。この場合、プリアンブル生成部１０６で生成したプリアンブルのみをＤＦＴ−Ｓ−ＯＦＤＭ変調部１０４で変調し、無線部１０８からコンテンションベースチャネルＣＢＣＨにより送信する。図２（ａ）または（ｂ）の場合には、メッセージ部およびデータ部をデータ制御部１０１に入力し、ＤＦＴ−Ｓ−ＯＦＤＭ変調部１０４で変調とプリアンブル部との多重化をした上で、送信を行う。
【００９１】
その後、移動局装置１０は、基地局装置２０からの応答を一定の待機時間だけ待つ。この待機時間は、プリアンブル長が２シンボルの場合はＴｂ、プリアンブル長が４シンボルまたは６シンボルの場合はＴａとする。ただし、Ｔａ＜Ｔｂである。
【００９２】
基地局装置２０は、プリアンブル検出部２０７においてコンテンションベースチャネルＣＢＣＨのプリアンブルを検出した場合、判定結果のプリアンブル長によりメッセージ部やデータ部の有無を把握し、ＤＦＴ−Ｓ−ＯＦＤＭ復調部２０８、データ復調部２０９、チャネル復号化部２１０、制御データ抽出部２１１の各処理を実行する。なお、データ部は上位レイヤへ送られる。
【００９３】
基地局装置２０はまた、プリアンブル検出部２０７により判定されてスケジューリング部２１２へ通知されたプリアンブル長の情報に従って、移動局装置１０への応答を返信する。そして、基地局装置２０と移動局装置１０は図１１のシーケンスを実施する。
【００９４】
具体的には、プリアンブル長が６シンボル（図２（ｃ）参照）の場合、図１１（ｃ）のシーケンスが実施される。すなわち、基地局装置２０は、同期検出部２０６より得られる基地局／移動局間の同期ずれ情報と、移動局装置１０がメッセージ部（図２（ｃ）の場合メッセージ部はまだ送信されていない）を送信するための上りリンクのリソース割当て情報とを、Ｔａの期間内に移動局装置１０へ送信する。移動局装置１０は、この応答を受信するとメッセージ部を生成する。メッセージ部はデータ制御部１０１に入力されて、チャネル符号化部１０２、データ変調部１０３、ＤＦＴ−Ｓ−ＯＦＤＭ変調部１０４により順次処理される。そして移動局装置１０は、このメッセージ部に対し同期補正部１０５で同期補正を行った上で、上記リソース割当て情報により指定されたリソース（指定された時間および周波数の送信フレーム）にてメッセージ部を基地局装置２０へ送信する。その後同様に、基地局装置２０はメッセージ部を受信すると、移動局装置１０がデータを送信するためのリソース割当て情報を移動局装置１０へ送信する。移動局装置１０は、この応答を受信し、指定されたリソース（上りリンクスケジューリングチャネルＵＳＣＨ）にてデータの送信を開始する。
【００９５】
また、プリアンブル長が４シンボル（図２（ｂ）参照）の場合、図１１（ｂ）のシーケンスが実施される。すなわち、基地局装置２０は、同期検出部２０６より得られる基地局／移動局間の同期ずれ情報と移動局装置１０がデータを送信するための上りリンクのリソース割当て情報とを、Ｔａの期間内に移動局装置１０へ送信する。移動局装置１０は、同期補正部１０５で同期補正を行った上で、リソース割当て情報により指定されたリソース（上りリンクスケジューリングチャネルＵＳＣＨ）にてデータの送信を開始する。
【００９６】
プリアンブル長が２シンボル（図２（ａ）参照）の場合、図１１（ａ）のシーケンスが実施される。すなわち、基地局装置２０は、受信したフレームのデータ部を上位レイヤへ渡し、上位レイヤからの応答を待つ。応答後、基地局／移動局間の同期ずれ情報と、移動局装置１０がデータを送信するための上りリンクのリソース割当て情報と、上記データ部に対する上位レイヤからの応答結果とをＴｂの期間内に移動局装置１０へ送信する。移動局装置１０は、同期補正部１０５で同期補正を行った上で、リソース割当て情報により指定されたリソース（上りリンクスケジューリングチャネルＵＳＣＨ）にてデータの送信を開始する。
【００９７】
（第２の実施形態）
次に、本発明の第２の実施形態を説明する。
この実施形態による移動局装置１０は、無線伝搬路状況に応じて、プリアンブル長を適宜選択することに加えて適応変調をも実行する。移動局装置１０の構成は図３と同じであるので、以下、動作の異なるＣＢＣＨ制御部１１４についてのみ説明を行う。
【００９８】
本実施形態による移動局装置１０がプリアンブル長および適応変調を行うためのＡＭＣモードを決定する処理について説明する。ＡＭＣモードは、ここではデータ変調部１０３において用いるメッセージ部とデータ部の変調方式である。
移動局装置１０は、コンテンションベースチャネルＣＢＣＨへのランダムアクセスを行う際、チャネル推定部１０９によりＥｓ／Ｉｏを測定する。そして、ＣＢＣＨ制御部１１４は、Ｅｓ／Ｉｏ値が大きい場合には基地局／移動局間の距離が近いと判断できることから、プリアンブル長を短く設定する。また、基地局／移動局間の距離が近いので無線伝搬路変動が小さいと判断し、変調度の高い変調方式を設定する。一方、Ｅｓ／Ｉｏ値が小さい場合には基地局／移動局間の距離が遠いと判断し、プリアンブル長を長く設定する。また、基地局／移動局間の距離が遠いので無線伝搬路変動が大きいと判断し、変調度の低い変調方式を設定する。
【００９９】
図１２に具体例を示す。図１２の例では、Ｅｓ／Ｉｏ値がＸ以上の場合にはプリアンブルを２シンボルとし、変調方式を１６ＱＡＭとする。また、Ｅｓ／Ｉｏ値がＹ以上Ｘ未満の場合にはプリアンブルを４シンボルとし、変調方式をＱＰＳＫとする。Ｅｓ／Ｉｏ値がＹ未満の場合にはプリアンブルを６シンボルとする（メッセージ部とデータ部がないので変調方式は設定しない）。
【０１００】
なお、第１の実施形態と同様に、Ｅｓ／Ｉｏの代わりに下りリンクのＣＱＩ情報やＧＰＳ情報を利用して、プリアンブル長およびＡＭＣモード（変調方式）を決定するようにすることもできる。また、自セルと他セルの無線伝搬路推定結果を利用してもよい。
【０１０１】
本実施形態において、基地局装置２０の構成は図４と同じであるので、動作の異なるプリアンブル検出部２０７についてのみ説明する。また、基地局装置２０のプリアンブル検出方法は第１の実施形態の場合と同じである。
プリアンブル検出部２０７は、コンテンションベースチャネルＣＢＣＨにおいてプリアンブルが送信されたか否かを識別して、プリアンブルが検出された場合には、そのプリアンブル長を判定するとともに、メッセージ部及びデータ部の有無を判定する。また、判定されたプリアンブル長に基づいてメッセージ部およびデータ部に適用するＡＭＣモードも判定する。そして、プリアンブルの検出結果（当該送信フレーム内のプリアンブル部、メッセージ部、データ部の各位置を示す情報など）をＤＦＴ−Ｓ−ＯＦＤＭ復調部２０８とスケジューリング部２１２へ供給し、判定したＡＭＣモードを示すＡＭＣ情報をデータ復調部２０９とチャネル復号化部２１０へ供給する。プリアンブル検出部２０７で決定されデータ復調部２０９へ通知されたＡＭＣ情報に従って、データ復調部２０９でメッセージ部とデータ部を復調する。
【０１０２】
本実施形態によれば、移動局装置１０は、無線伝搬路状況の良好な場合に変調度の高い変調方式を用いてメッセージ部とデータ部を変調するので、コンテンションベースチャネルＣＢＣＨにおいても多くのデータを送信することが可能である。
【０１０３】
（第３の実施形態）
次に、本発明の第３の実施形態を説明する。
この実施形態による移動局装置は、ＧＰＳを利用した位置測定手段を備え、測定された位置情報から基地局／移動局間の距離を算出することにより、その距離に応じたプリアンブル長を決定する。
図１３は、本実施形態による移動局装置１１の機能的構成を示すブロック図である。同図において、以下に述べるチャネル推定部１０９、制御データ抽出部１１２、ＣＢＣＨ制御部１１４、ＧＰＳ受信部１１５以外の構成要素については、その機能、動作は第１の実施形態と同じであるので説明を省略する。
【０１０４】
ＧＰＳ受信部１１５は、ＧＰＳ衛星から所定のＧＰＳ信号を受信し、受信したＧＰＳ信号に基づき移動局装置１１の位置を測定してその位置情報をＣＢＣＨ制御部１１４へ供給する。
チャネル推定部１０９は、無線部１０８より入力されるデータの下りリンクパイロットチャネルＤＰｉＣＨに基づいて、下りリンクの無線伝搬路特性を推定し、下りリンク無線伝搬路推定結果としてＯＦＤＭ復調部１１０へ供給する。また、下りリンク無線伝搬路推定結果をＣＱＩ情報に変換して、データ制御部１０１とスケジューリング部１１３へ供給する。なお、第１の実施形態とは、下りリンク無線伝搬路推定結果をＯＦＤＭ復調部１１０へのみ供給する点が異なっている。
【０１０５】
制御データ抽出部１１２は、受信データを制御データ（下りリンク共用制御シグナリングチャネルＤＳＣＳＣＨと下りリンク共通制御チャネルＤＣＣＣＨ）とユーザデータに分離する。そして、制御データに含まれる下りのＡＭＣ情報をＯＦＤＭ復調部１１０とチャネル復号化部１１１に供給する。また、上りのＡＭＣ情報とスケジューリング情報をスケジューリング部１１３へ、コンテンションベースチャネルＣＢＣＨに関する制御情報と基地局装置２０の位置情報をＣＢＣＨ制御部１１４へ、上りリンクの同期情報を同期補正部１０５へ、それぞれ供給する。なお、第１の実施形態とは、受信した制御データに含まれる基地局装置２０の位置情報をＣＢＣＨ制御部１１４へ供給する点が異なっている。
【０１０６】
ＣＢＣＨ制御部１１４は、コンテンションベースチャネルＣＢＣＨへのアクセスが必要な場合に、スケジューリング部１１３からの指示を受け、ＧＰＳ受信部１１５からの移動局装置１１の位置情報と制御データ抽出部１１２からの基地局装置２０の位置情報より基地局／移動局間の距離を算出して、算出した距離に基づいて上りリンクで送信するプリアンブル部のプリアンブル長、ならびにメッセージ部およびデータ部のＡＭＣモードを決定する。また、決定した結果をデータ制御部１０１、チャネル符号化部１０２、データ変調部１０３、およびＤＦＴ−Ｓ−ＯＦＤＭ変調部１０４へ指示する。決定したプリアンブル長については、プリアンブル生成部１０６へ指示する。なお、第１の実施形態とは、ＧＰＳによる位置情報を基にしてプリアンブル長等を決定する点が異なっている。
【０１０７】
次に、移動局装置１１のＣＢＣＨ制御部１１４がプリアンブル長を決定する処理について説明する。
移動局装置１０は、コンテンションベースチャネルＣＢＣＨへのランダムアクセスを行う際、ＧＰＳ受信部１１５により移動局装置１１の位置を測定して位置情報を得る。ＣＢＣＨ制御部１１４は、この移動局装置１１の位置情報と制御データ抽出部１１２から送られる基地局装置２０の位置情報とにより、基地局／移動局間の距離を算出する。そして、ＣＢＣＨ制御部１１４は、基地局／移動局間の距離が近い場合、プリアンブル長を短く設定する。また、基地局／移動局間の距離が遠い場合は、プリアンブル長を長く設定する。
【０１０８】
図１４に具体例を示す。図１４の例では、基地局／移動局間の距離がＰ（ｍ）未満の場合にはプリアンブルを２シンボルとし、基地局／移動局間の距離がＰ（ｍ）以上Ｑ（ｍ）未満の場合にはプリアンブルを４シンボルとし、基地局／移動局間の距離がＱ（ｍ）以上の場合にはプリアンブルを６シンボルとしている。これにより、コンテンションベースチャネルＣＢＣＨの送信フレームは、前掲の図２の形となる。
【０１０９】
また、基地局／移動局間の距離に応じて、プリアンブル長を適宜選択することに加えて適応変調をも実行するようにすることもできる。
図１５に具体例を示す。図１５の例では、基地局／移動局間の距離がＰ（ｍ）未満の場合にはプリアンブルを２シンボルとし、変調方式を１６ＱＡＭとする。また、基地局／移動局間の距離がＰ（ｍ）以上Ｑ（ｍ）未満の場合にはプリアンブルを４シンボルとし、変調方式をＱＰＳＫとする。Ｅｓ／Ｉｏ値がＱ（ｍ）以上の場合にはプリアンブルを６シンボルとする（メッセージ部とデータ部がないので変調方式は設定しない）。
【０１１０】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、プリアンブル長を直接決定するのではなく、送信フレームに占めるプリアンブルの割合を決定するようにしてもよい。
また、第２の実施形態として適応変調の場合を説明したが、無線伝播路状況に応じてチャネル符号化部の符号化方式を設定することもできる。
【図面の簡単な説明】
【０１１１】
【図１】本発明の一実施形態による移動局装置がランダムアクセスを行う様子を説明した図である。
【図２】コンテンションベースチャネルＣＢＣＨの送信フレームの構成図である。
【図３】本発明の一実施形態による移動局装置の機能的構成を示すブロック図である。
【図４】基地局装置の機能的構成を示すブロック図である。
【図５】ＣＢＣＨ制御部によるプリアンブル長の設定例その１である。
【図６】ＣＢＣＨ制御部によるプリアンブル長の設定例その２である。
【図７】ＣＢＣＨ制御部によるプリアンブル長の設定例その３である。
【図８】基地局装置におけるプリアンブル検出処理の手順を示したフローチャートである。
【図９】図８のプリアンブル検出を概念的に説明する図（フレームが同期している場合）である。
【図１０】図８のプリアンブル検出を概念的に説明する図（フレームが同期していない場合）である。
【図１１】移動局装置と基地局装置により実行されるランダムアクセスのシーケンス図である。
【図１２】ＣＢＣＨ制御部によるプリアンブル長の設定例その４である。
【図１３】本発明の第２の実施形態による移動局装置の機能的構成を示すブロック図である。
【図１４】ＣＢＣＨ制御部によるプリアンブル長の設定例その５である。
【図１５】ＣＢＣＨ制御部によるプリアンブル長の設定例その６である。
【図１６】ＥＵＴＲＡにおける上りおよび下りリンクのチャネル構成図である。
【図１７】ＥＵＴＲＡの下りリンクにおいて使用される無線フレーム構成である。
【図１８】ＥＵＴＲＡの上りリンクにおいて使用される無線フレーム構成である。
【図１９】上りリンクにおけるチャネルの多重化を説明する図である。
【図２０】上りリンクスケジューリングチャネルＵＳＣＨとコンテンションベースチャネルＣＢＣＨの送信フレームの構成を示す図である。
【図２１】コンテンションベースチャネルＣＢＣＨへのランダムアクセスの手順を示したシーケンス図である。
【図２２】基地局装置におけるプリアンブル検出処理の手順を示したフローチャートである。
【図２３】図２２のプリアンブル検出を概念的に説明する図（フレームが同期している場合）である。
【符号の説明】
【０１１２】
１０、１１    移動局装置
２０    基地局装置
１０１    データ制御部
１０２    チャネル符号化部
１０３    データ変調部
１０４    ＤＦＴ−Ｓ−ＯＦＤＭ変調部
１０５    同期補正部
１０６    プリアンブル生成部
１０７    パイロット生成部
１０８    無線部
１０９    チャネル推定部
１１０    ＯＦＤＭ復調部
１１１    チャネル復号化部
１１２    制御データ抽出部
１１３    スケジューリング部
１１４    ＣＢＣＨ制御部
１１５    ＧＰＳ受信部
２０１    データ制御部
２０２    チャネル符号化部
２０３    ＯＦＤＭ変調部
２０４    無線部
２０５    チャネル推定部
２０６    同期検出部
２０７    プリアンブル検出部
２０８    ＤＦＴ−Ｓ−ＯＦＤＭ復調部
２０９    データ復調部
２１０    チャネル復号化部
２１１    制御データ抽出部
２１２    スケジューリング部
【図１】
2008011157.tif 000003
【図２】
2008011157.tif 000004
【図３】
2008011157.tif 000005
【図４】
2008011157.tif 000006
【図５】
2008011157.tif 000007
【図６】
2008011157.tif 000008
【図７】
2008011157.tif 000009
【図８】
2008011157.tif 000010
【図９】
2008011157.tif 000011
【図１０】
2008011157.tif 000012
【図１１】
2008011157.tif 000013
【図１２】
2008011157.tif 000014
【図１３】
2008011157.tif 000015
【図１４】
2008011157.tif 000016
【図１５】
2008011157.tif 000017
【図１６】
2008011157.tif 000018
【図１７】
2008011157.tif 000019
【図１８】
2008011157.tif 000020
【図１９】
2008011157.tif 000021
【図２０】
2008011157.tif 000022
【図２１】
2008011157.tif 000023
【図２２】
2008011157.tif 000024
【図２３】
2008011157.tif 000025